(57)【特許請求の範囲】
【請求項１】
空気吸込口からケーシング内に吸い込まれた空気を二分し、それぞれ一対の熱交換器及びフアンを経て一対の空気吹出口から室内に吹き出す空気調和機において、
前記フアンの設定回転数を入力する回転数設定手段と、
室温センサによって検出された室温及び室温設定器によって設定された設定温度に基づき、空調能力を決定する空調能力決定手段と、
前記空調能力決定手段で決定された空調能力に基づき前記フアンの回転数を決定するフアン回転数決定手段と、
前記空調能力に応じたデューティ比を決定するデューティ比決定手段と、を有するものであって、
前記回転数決定手段によって決定された回転数が前記設定回転数以上であれば、前記フアンを前記回転数決定手段によって決定された回転数で回転させ、
前記回転数決定手段によって決定された回転数が前記設定回転数以下であれば、前記設定回転数以上の回転数で運転及び停止を前記デューティ比に応じて周期的に繰り返す制御を行うことを特徴とする空気調和機。
【請求項２】
上記一対のフアンをそれぞれ独立して運転可能としたことを特徴とする請求項１記載の空気調和機。
【発明の詳細な説明】
【０００１】
【発明の属する技術分野】
本発明は天井埋込形等の空気調和機に関する。
【０００２】
【従来の技術】
本出願人が特願平８−１０３２３６号により出願した空気調和機が図７に示されている。
天井１に埋め込んで据え付けられるケーシング２の下面中央には空気吸込口３が形成され、この空吸込口３には吸込グリル４が取り付けられている。
【０００３】
ケーシング２内中央には仕切板１１が立設され、この仕切板１１によって仕切られた左右の室１０Ａ  、１０Ｂ  内にはそれぞれ仕切板１１を中心として左右対称となるように熱交換器５Ａ、５Ｂ、タンゼンシャルフアン等からなるフアン６Ａ、６Ｂ、ドレンパン８Ａ、８Ｂ、導風板９Ａ、９Ｂが配設され、かつ、ケーシング２の下面には空気吹出口７Ａ、７Ｂが形成されている。
【０００４】
しかして、空気調和機の運転時、空気吸込口３から吸込グリル４を経てケーシング２内に吸い込まれた室内空気は仕切板１１により左右に二分されて室１０Ａ、１０Ｂに入り、熱交換器５Ａ、５Ｂを流過する過程で冷却又は加熱され、フアン６Ａ、６Ｂによって付勢された後、導風板９Ａ、９Ｂに案内されて空気吹出口７Ａ、７Ｂから室内１２に吹き出される。
【０００５】
冷房運転時、熱交換器５Ａ、５Ｂから滴下したドレンはドレンパン８Ａ、８Ｂ内に入り、図示しないドレンパイプを経て排出される。
【０００６】
【発明が解決しようとする課題】
上記空気調和機の能力を低減する場合、フアン６Ａ及び６Ｂの回転数をそれぞれ同時に、かつ、同じ量だけ低下させていたため、空気吹出口７Ａ、７Ｂから吹き出される風量が低下し過ぎると、冷房運転時には吹出空気温度の異常低下により空気吹出口７Ａ、７Ｂの周囲に結露するおそれがあり、また、暖房運転時には空気吹出口７Ａ、７Ｂから吹き出された温風が短絡して空気吸込口３から吸い込まれる所謂ショートサッキット現象が発生して冷媒回路内高圧が異常に上昇するおそれがあった。
【０００７】
【課題を解決するための手段】
本発明は上記課題を解決するために発明されたものであって、その要旨とするところは、空気吸込口からケーシング内に吸い込まれた空気を二分し、それぞれ一対の熱交換器及びフアンを経て一対の空気吹出口から室内に吹き出す空気調和機において、前記フアンの設定回転数を入力する回転数設定手段と、室温センサによって検出された室温及び室温設定器によって設定された設定温度に基づき、空調能力を決定する空調能力決定手段と、前記空調能力決定手段で決定された空調能力に基づき前記フアンの回転数を決定するフアン回転数決定手段と、前記空調能力に応じたデューティ比を決定するデューティ比決定手段と、を有するものであって、前記回転数決定手段によって決定された回転数が前記設定回転数以上であれば、前記フアンを前記回転数決定手段によって決定された回転数で回転させ、前記回転数決定手段によって決定された回転数が前記設定回転数以下であれば、前記設定回転数以上の回転数で運転及び停止を前記デューティ比に応じて周期的に繰り返す制御を行うことを特徴とする空気調和機にある。
【０００８】
他の特徴とするところは、上記一対のフアンをそれぞれ独立して運転可能としたことにある。
【０００９】
【発明の実施の形態】
本発明の実施形態が図１ないし図３に示されている。
図２に示すように、フアン６Ａを駆動するためのフアンモータ１４Ａ  及びフアン６Ｂを駆動するためのフアンモータ１４Ｂ  はそれぞれフアンコントローラ２０によって制御されるようになっている。
他の構成は図７に示す従来のものと同様であり、対応する部材には同じ符号を付してその説明を省略する。
【００１０】
図１にはフアンコントローラ２０の制御ブロック図が示されている。
室温センサ２１によって検出された室温及び室温設定器２２によって設定された設定温度はフアンコントローラ２０の空調能力決定手段２３に入力され、ここでこれらに基づいて所要の空調能力が決定される。
【００１１】
決定された空調能力はフアン回転数決定手段２４に入力され、ここでフアン６Ａ及び６Ｂの回転数が決定される。
決定された回転数は比較手段２５に入力され、ここで回転数設定手段２６から入力された設定回転数と比較される。
【００１２】
決定された回転数が設定回転数以上であれば、この決定回転数がデューティ比決定手段２７を素通りして出力手段２８からフアンモータ１４Ａ  及び１４Ｂ  に出力され、フアン６Ａ及び６Ｂは決定された回転数で回転する。
【００１３】
決定された回転数が設定回転数以下であれば、この決定回転数がデューティ比決定手段２７に入力されると、ここで所要の空調能力に対応してフアン６Ａ、６Ｂの運転時間と停止時間との比、即ち、デューティ比が決定される。
【００１４】
決定されたデューティ比は出力手段２８を経てフアンモータ１４Ａ  及び１４Ｂ  に出力され、フアン６Ａ及び６Ｂは図３に示すように、設定回転数又はこれ以上の回転数で運転及び停止を周期的に繰り返す。
【００１５】
かくして、フアン６Ａ及び６Ｂの運転時、これらは設定回転数又はこれ以上の回転数で回転するため、空気吹出口７Ａ、７Ｂから吹き出される風速が低下し過ぎることはなく、従って、冷房運転時における結露や、暖房運転時におけるショートサーキットを未然に防止できる。
【００１６】
また、フアン６Ａ及び６Ｂは所要の空調能力に対応するデューティ比で運転、停止を周期的に繰り返すため、室内温度を設定温度に維持できる。
【００１７】
なお、モード切換スイッチ２９からの指令を回転数設定手段２６に入力することによって冷房運転における設定回転数と暖房運転における設定回転数を変更すれば、冷房運転時における結露や暖房運転時におけるショートサーキットを確実に防止できる。
【００１８】
本発明の第２の実施形態が図４ないし図６に示されている。
この第２の実施形態においては、図４に示すように、ゾーン運転スイッチ３０が設けられ、これを操作したときこれからの信号がフアン回転数比決定手段３１に入力されると、この決定手段３１は操作信号に応じてフアン６Ａと６Ｂとの回転数比（  例えば、２：１  、１：０  等）  を決定する。
【００１９】
決定された回転数比がフアン回転数決定手段２４に入力されると、フアン回転数決定手段２４は決定された回転数比及び空調能力に応じてフアン６Ａ及び６Ｂの回転数をそれぞれ決定する。
他の構成及び作用は図１ないし図３に示す第１の実施形態と同じであり、対応する部材には同じ符号を付してその説明を省略する。
【００２０】
しかして、フアン６Ａと６Ｂとの回転数比が例えば２：１と決定されたときは、図５に示すように、フアン６Ｂの停止時間が長くなり、運転時間がフアン６Ａの１／２  となり、この結果、図６（Ａ）  に示すように、空気吹出口７Ａからは空気吹出口７Ｂよりも大量の調和空気が吹き出されるので、室内１２の左方のゾーンのみを所要の空調能力に応じて空調することが可能となる。
【００２１】
また、フアン６Ａと６Ｂとの回転数比が例えば１：０と決定されたときは、図６（Ｂ）  に示すように、調和空気は吹出口７Ａのみから室内１２に吹き出される。
【００２２】
【発明の効果】
本発明においては、一対のフアンを、回転数決定手段によって決定された回転数が設定回転数以下の場合、設定回転数以上の回転数で運転及び停止を前記デューティ比に応じて周期的に繰り返す制御を行うため、所要の空調能力が低下した場合であっても室内温度を快適に維持できる。そして、吹出風の風速が所定値以下に低下することがないので、吹出風を床面まで到達させることができるとともに冷房運転時における結露や暖房運転時におけるショートサーキットを防止できる。
【００２３】
一対のフアンをそれぞれ独立して運転可能とすれば、室内の所定ゾーンを所要の空調能力に応じて空調することができる。
【図面の簡単な説明】
【図１】本発明の第１の実施形態を示す制御ブロック図である。
【図２】上記第１の実施形態の制御系統図である。
【図３】上記第１の実施形態のタイムチャートである。
【図４】本発明の第２の実施形態を示す制御ブロック図である。
【図５】上記第２の実施形態のタイムチャートである。
【図６】（Ａ）  、（Ｂ）  はそれぞれ第２の実施形態の吹出風を示す説明図である。
【図７】従来の空気調和機の略示的縦断面図である。
【符号の説明】
６Ａ，６Ｂ  フアン
２０        フアンコントローラ
２３        空調能力決定手段
２４        フアン回転数決定手段
２６        回転数設定手段
２７        デューティ比決定手段
【図１】
0003576340.tif 000002
【図２】
0003576340.tif 000003
【図３】
0003576340.tif 000004
【図４】
0003576340.tif 000005
【図５】
0003576340.tif 000006
【図６】
0003576340.tif 000007
【図７】
0003576340.tif 000008